(57)【要約】【課題】  ドアミラーに映し出される映像は、極めて狭く危険性が高い。また、従来のドアミラーは、固有のものであり、ミラーの変更加工は費用などの点で難しい。【解決手段】  ドアミラー本体１０は、４つの面から構成されている。まず１つは主鏡部１であり、側後方の映像を映し出す面である。２つめは、主鏡部１の下部からつながり、側下方を映し出す側下方鏡部２である。３つめは、主鏡部１の外側につながる側外方を映し出す側外方鏡部３である。４つめは、側下方鏡部２の外側であって側外方鏡３の下側につながる斜め下を映し出し、側下方鏡部２と側外方鏡部３でも捉えられなかった、更なる死角部分を映し出す側下外方鏡部４である。また、裏面に脱着器具をつけたことにより、取外しを可能としている。【選択図】  図１
2010184571.tif 000002
【特許請求の範囲】
【請求項１】
車両用のドアミラーであって、
前記車両の側後方を映す主鏡部と、
前記主鏡部の下部に所定の角度で折れ曲がった、前記車両の側下方を映す側下方鏡部と、
前記主鏡部の側部に所定の角度で折れ曲がった、前記車両の側外方を映す側外方鏡部と、
前記側下方鏡部の側部であって前記側外方鏡部の下部に、所定の角度で折れ曲がった、前記車両の側下外方を映す側下外方鏡部と、
を備えることを特徴とするドアミラー。
【請求項２】
車両に既設のドアミラーに脱着可能な、脱着器具を背面に備えることを特徴とする請求項１に記載のドアミラー。
【発明の詳細な説明】
【技術分野】
【０００１】
本発明は、乗用車やトラック等の車両の左右ドアミラーに映る視野(後方・側方等)の死角が極めて少なく、かつ、脱着可能な多面式ドアミラーに関するものである。
【背景技術】
【０００２】
一般に、自動車の後方及び周囲を確認するために、ルームミラーやドアミラーがある。ルームミラーは、主に車の後方を確認するためのものであり、ドアミラーは、主に側方を確認するためのものである。しかしながら、従来のドアミラーは形状的に死角が出来てしまい、歩行者、自転車、あるいは並走している車などがその死角に入り、全く見えなくなってしまい接触事故等が発生する恐れがある。かような問題を解決するために、例えば、特許文献１〜４の技術が開示されている。
【先行技術文献】
【特許文献】
【０００３】
【特許文献１】特表２００７−５２９０１６号公報
【特許文献２】特開平８−１０８８００号公報
【特許文献３】特開２００２−２７４２６２号公報
【特許文献４】特開平９−１７８９２１号公報
【発明の概要】
【発明が解決しようとする課題】
【０００４】
しかしながら、従来の上記４つの特許文献の技術では、運転者が車両運転時、そのドアミラーに映し出される映像は、なお極めて狭く、そのミラーだけに頼って運転すると、右左折時に巻込み事故や、車線変更時車両等に気づかずヒヤッとするケースが多々ある。また、従来のドアミラーは、各車に固有のものが取り付けられており、ミラーの変更は加工費用などの点でなかなか難しい。本発明は、以上の問題を解決する技術を提供することを目的とする。
【課題を解決するための手段】
【０００５】
本発明は、上記目的を達成するために、車両用のドアミラーであって、前記車両の側後方を映す主鏡部と、前記主鏡部の下部に所定の角度で折れ曲がった、前記車両の側下方を映す側下方鏡部と、前記主鏡部の側部に所定の角度で折れ曲がった、前記車両の側外方を映す側外方鏡部と、前記側下方鏡部の側部であって前記側外方鏡部の下部に、所定の角度で折れ曲がった、前記車両の側下外方を映す側下外方鏡部と、を備えることを特徴とする。また、車両に既設のドアミラーに脱着可能な、脱着器具をドアミラー本体の背面に備えることを特徴とする。
【発明の効果】
【０００６】
本発明に係るドアミラーによれば、車両の側後方のみでなく、側下方、側外方及び側下外方をも確認でき、右左折時の巻込み事故や脱輪等の防止となる。また、走行中あるいは車線変更時に脇の視界が広く、死角がなくなり安全の確保ができる。また、側下方鏡部等に角度を持たせることにより、広角な視野を得ることができる。さらに、ドアミラー裏面に脱着器具を付けた事により、車両運転状況や周りの環境にあわせて簡単に脱着可能である。さらに、乗用車ドアミラー、トラックドアミラーでは、各メーカーや各車種によりミラー本体の形状が異なるが、その異なるミラー本体に合わせて簡単に取付ができ、特殊技術的なものは求められない。なお、車種によりミラー本体の取付位置が異なるが、ミラー取付後、電動式ミラーならば、従来同様に運転席の車内から微調整が可能で、取付時のミラー映像のズレ補正ができる。本発明により、従来のドアミラーでは得られなかった側下方等の視野が広く確認でき、今までの不便さを感じさせず、かつ、安全性が向上する。
【図面の簡単な説明】
【０００７】
【図１】本発明のドアミラーの正面図である。
【図２】本発明のドアミラーを後方向から見た図である。
【図３】本発明のドアミラーを後斜方向から見た図である。
【図４】本発明のドアミラーを、従来の乗用車ドアミラーに取付けた状態図である。
【図５】本発明の縦長用ドアミラーを、正面から見た図である。
【図６】本発明の縦長用ドアミラーを、従来の縦長用ドアミラーに取付けた状態図である。
【図７】本発明のドアミラーを適用した場合に、車内から見たミラーに映りだされる視野を上から捉えた図である。
【図８】本発明のドアミラーを適用した場合に、車内から見たミラーに映りだされる視野を側面から捉えた図である。
【発明を実施するための形態】
【０００８】
以下に、本発明に係るドアミラーを実施するための形態を、図を参照して説明する。図１は、ドアミラー本体１０の正面図である。ドアミラー本体１０は、４つの面から構成されている。まず１つは主鏡部１であり、側後方の映像を映し出す面である。２つめは、主鏡部１の下部から所定の角度で折れ曲がってつながり、側下方を映し出す側下方鏡部２である。なお、折れ曲がりの角度は使用目的により変わる。３つめは、主鏡部１の外側につながる側外方を映し出す側外方鏡部３である。４つめは、側下方鏡部２の外側であって側外方鏡部３の下側につながる斜め下を映し出し、側下方鏡部２と側外方鏡部３でも捉えられなかった、更なる死角部分を映し出す側下外方鏡部４である。なお、いずれの鏡も主鏡部から所定の角度で曲がっている。また、各鏡は平面を基本とするが、やや曲面であっても良い。また、各鏡部の接合面は平滑にし、表面に境が無いことが望ましい。したがって、一体の鏡で四面を有することも良い。各鏡の面積比は、概ね図１に示した例の比率で構成することを基本とするが、車両や運転状況により変更しても良い。なお、このドアミラー本体１０は車両の右側用で、左右対称の形状のものが左側用になる。
【０００９】
図２は、図１のドアミラー本体１０を後方向から見た図である。主鏡部１、側下方鏡部２、側外方鏡部３、側下外方鏡部４は、上記に説明したとおりである。取付器具補強部５は、本発明の２つめの大事な器具である。脱着可能とする取付器具６をドアミラー本体１０に連結し、ドアミラー本体１０の強度と安定性を引き出し、ミラーに映る映像のゆがみを無くす大きな機能を果たす部材である。
【００１０】
図３は、図１のドアミラー本体１０の斜視図である。
【００１１】
図４は、ドアミラー本体１０を取付器具補強部５と取付器具６により、従来の乗用車ドアミラーのミラー部へ装着した状態を描いた図であり、このことによりドアミラーが一体化している。その際、電動ミラーであれば、ミラーの微調整が従来どおり運転席の車内から簡単に調整可能で、また、車両運転状況や周囲の環境にあわせ、特殊技術や工具類を必要とせず簡単に取外しが可能である。
【００１２】
図５は、縦形用のドアミラー本体１の正面図である。図１と同様、主鏡部１、側下方鏡部２、側外方鏡部３、側下外方鏡部４は、同じ機能を果たすものである。
【００１３】
図６は、図５のミラー本体１０を従来のドアミラーのミラー部に装着した状態を正面から描いた図である。取付器具補強部５と取付器具６により、図４と同様な機能と用途の便利さが得られる。
【００１４】
図７は、ドアミラー本体１０を従来のドアミラーのミラー部に取付器具６により取り付けし、運転席からドアミラー本体１０の主鏡部１、側下方鏡部２、側外方鏡部３、側下外方鏡部４を見て、映し出される視野をそれぞれ上からとらえた図である。はじめに、主鏡部の映像部Ａは、図１の主鏡部１から映し出される領域で、従来のドアミラーから映し出される映像と同じものである。第２に、側下方鏡部及び側外方鏡部の映像部Ｂは，図１の側下方鏡部２と側外方鏡部３から映し出される映像領域で、この映像領域が確認できることで、巻込み事故や車線変更時の接触事故等の防止になる。次に、側下外方鏡部の映像部Ｃは、図１の側下外方鏡部４に映し出される映像領域で、前文に上げた映像では得られなかった部分を補える映像を映し出す。この映像を得ることにより、より死角のない周囲の確認が可能となる。
【００１５】
図８は、図７同様で、側面を示した図である。主鏡部の映像部Ｄは、図１の主鏡部１から映し出される映像領域である。次に、側下方鏡部、側外方鏡部及び側下外方鏡部の映像部Ｅであるが、図１の側下方鏡部２からの映像が大半を占めている。側外方鏡部３と側下外方鏡部４によりこの映像領域を補完している。この、側下方鏡部、側外方鏡部及び側下外方鏡部の映像部Ｅを得ることで、脱輪事故等対応しやすくなり、危険性のリスクが減り、車社会の中で便利さを得ることができる。
【符号の説明】
【００１６】
１    主鏡部
２    側下方鏡部
３    側外方鏡部
４    側下外方鏡部
５    取付器具補強部
６    取付器具
７    保持部
８    支持部
１０  ドアミラー本体
Ａ    主鏡部の映像部
Ｂ    側下方鏡部及び側外方鏡部の映像部
Ｃ    側下外方鏡部の映像部
Ｄ    主鏡部の映像部
Ｅ    側下方鏡部、側外方鏡部及び側下外方鏡部の映像部
【図１】
2010184571.tif 000003
【図２】
2010184571.tif 000004
【図３】
2010184571.tif 000005
【図４】
2010184571.tif 000006
【図５】
2010184571.tif 000007
【図６】
2010184571.tif 000008
【図７】
2010184571.tif 000009
【図８】
2010184571.tif 000010